(57)【特許請求の範囲】
【請求項１】
原稿の画像情報を読み取るための原稿画像情報読み取り手段と、該原稿画像情報読み取り手段に対して、前記原稿を自動的に順次供給する自動原稿供給手段と、該自動原稿供給手段の内部に設けられ、該自動原稿供給手段の内部における前記原稿の搬送異常状態の情報と自動原稿供給手段から給紙されている原稿の位置を管理するための原稿位置情報とを含む原稿情報を確認する原稿検出センサ群である原稿確認手段と、を備える画像処理装置において、
前記原稿確認手段によって確認された前記原稿情報と前記原稿の頁番号を含む原稿に関する管理情報を頁毎に記憶する情報管理テーブル手段と、
前記情報管理テーブル手段に頁毎に記憶された前記原稿に関する管理情報のうち、前記原稿画像読み取り手段により前記画像情報の読み取りを終了したものの前記原稿の頁番号を指示する指示手段と、
前記原稿の搬送異常が確認された場合、前記情報管理テーブル手段に頁毎に記憶している前記原稿位置情報が前記自動原稿供給手段から給紙されていることを示している前記原稿の頁番号の情報と前記画像情報の読み取りを終了した前記原稿の頁番号の情報とから算出される、前記原稿を再度前記自動原稿供給手段にセットし直すのに必要な原稿戻し枚数を表示する表示手段と、
を備えることを特徴とする画像処理装置。
【請求項２】
前記情報管理テーブル手段は、前記原稿の両面または片面に対する読み取りモードに関する露光原稿面の情報が記憶されていることを特徴とする請求項１に記載の画像処理装置。
【請求項３】
前記表示手段は、前記原稿の搬送異常が確認された場合、前記自動原稿供給手段における前記原稿の停止位置を前記原稿に関する管理情報に基づいて表示することを特徴とする請求項１又は請求項２に記載の画像処理装置。
【発明の詳細な説明】
【０００１】
【発明の属する技術分野】
本発明は、例えば、デジタル複写機やスキャナ装置等において、原稿画像読み取り部を備え、原稿の画像を読み取るまでの管理と、読み取られた原稿の画像の管理を行うことのできる装置に関する。
【０００２】
【従来技術】
従来、原稿画像読み取り部から入力された原稿画像に対し、装置が備える種々の画像処理機能の中から選択された所定の処理を行った後、プリンタ部から処理後の画像を出力することができるという画像形成装置が知られているが、これら装置においては、大量の原稿を効率よく短時間で処理したいと言った要望が強く、大量の原稿を自動的に処理して出力するデジタル複写機等が開発されている。
【０００３】
また、原稿読み取り部より入力された原稿画像をプリンタ部から出力するだけではなく、外部機器から入力された画像をファクシミリ機能やプリンタ機能を使って出力することができる複合デジタル複写機が、商品化並びに販売されている。
【０００４】
さらに、これら画像処理装置においては、基本仕様として高速化、高画質化、多機能化、低コスト化、低消費エネルギー化等が求められると共に、原稿画像の読み取りから入力画像の出力までの処理や例えばジャムリカバリー等のトラブルからの復帰を迅速且つ的確に遂行することも強く求められている。
【０００５】
例えば、デジタル複写機に両面原稿自動搬送装置を設置して作業能率向上の要請に対応する場合があるが、両面原稿自動搬送装置において原稿読み取り時にジャムが発生すると、ジャムをクリアした後のジャムリカバリがスムーズに行われることが作業効率を向上させる上で重要なポイントとなる。
【０００６】
そして仮にトラブル復帰がスムーズに行われない場合、作業能率の向上や信頼性を著しく損なうこととなることから、トラブル復帰をスムーズに行うための様々な対策がこれまで考案されてきている。
【０００７】
例えば、特開平２−６６５８６号公報では、ジャムが発生した場合のリカバリ方式に関し、スタート時の原稿のサイドを見て次にコピーするサイドと異なる場合、原稿を自動反転することにより、オペレータがいちいち原稿をセツトし直す繁雑さの解消を図る画像形成装置が開示されている。
【０００８】
【発明が解決しようとする課題】
特開平２−６６５８６号公報に記載の画像処理装置によれば、プラテン上にセットされている原稿サイドを検出する原稿サイド検出部と、検出した原稿サイドと次のコピーの原稿サイドとを比較し、異なる場合に原稿を反転する原稿リカバリ処理部と排出原稿に対するコピーが終了したか否かを判断する排出原稿コピー終了判断部を備えており、スタート時の原稿のサイドを見て今度コピーするサイドと異なる場合は、原稿を反転し、またコピー用紙と原稿とを対応づけて戻し枚数を算出することによりマシン停止時、原稿パージが必要かどうかを判断するので、オペレータがいちいち原稿をセツトし直す繁雑さが解消され、ジャムが発生した場合のリカバリ方式に関し、作業効率を向上させる点で有効なものである。
【０００９】
しかしながら、上述の通り、これら画像形成装置においては、大量の原稿画像に加え、外部機器からの入力画像を効率よく処理することも要望されているので、各種モードにおける種々のトラブルから復帰できるよう、従来よりも複雑な制御管理手法に基づき入力画像を処理する必要が生じる。
【００１０】
即ち、同公報記載の画像形成装置によれば、コピー用紙と原稿を対応づけたジャムリカバリ等の作業能率向上について言及されているが、例えばファックス画像やパソコン画像を入力された場合のトラブル等にも対応できる入力画像の管理手法について記載されておらず、トラブル発生時にリカバリするのに依然として時間を要するといった問題があった。
【００１１】
また、大量の原稿を順次読み取りながら処理している際に、原稿自動搬送装置において搬送異常が発生したり、複数のモードで入力された画像を順次出力している際に、画像出力部でジャムなどのトラブルが発生すると、原稿画像の読み取りもしくは原稿画像の出力工程において正確なジャムリカバリーを行わなければ、それまでに処理された画像との関係が壊れてしまい、画像に対して再度読み取りや画像処理を行う等の無駄な処理が必要となる場合もあり、従来の管理方法では作業能率の向上が図れないという問題があった。
【００１２】
さらに、上記管理手法を実施するための制御部分は、管理しない場合と比べて複雑なものとなるので、作業効率を低下させないためには、処理能力の高いプロセッサやそれに伴う周辺回路等を用いる必要が生じ、製品コストが上昇してしまうという問題があった。
【００１３】
本発明は、かかる問題点を鑑みてなされたものであって、装置のコスト上昇を最小限とし、原稿画像の読み取りから入力された画像の出力までの処理を確実に遂行すると共に、スキャナトラブルや搬送ジャム等の各種トラブルが発生した場合等においても、迅速的確なリカバリを行うための原稿情報管理手段を備えた信頼性の高い画像形成装置を提供するものである。
【００１４】
【課題を解決するための手段】
本発明は、原稿の画像情報を読み取るための原稿画像情報読み取り手段と、該原稿画像情報読み取り手段に対して、前記原稿を自動的に順次供給する自動原稿供給手段と、該自動原稿供給手段の内部に設けられ、該自動原稿供給手段の内部における前記原稿の搬送異常状態の情報と自動原稿供給手段から給紙されている原稿の位置を管理するための原稿位置情報とを含む原稿情報を確認する原稿検出センサ群である原稿確認手段と、を備える画像処理装置において、前記原稿確認手段によって確認された前記原稿情報と前記原稿の頁番号を含む原稿に関する管理情報を頁毎に記憶する情報管理テーブル手段と、前記情報管理テーブル手段に頁毎に記憶された前記原稿に関する管理情報のうち、前記原稿画像読み取り手段により前記画像情報の読み取りを終了したものの前記原稿の頁番号を指示する指示手段と、前記原稿の搬送異常が確認された場合、前記情報管理テーブル手段に頁毎に記憶している前記原稿位置情報が前記自動原稿供給手段から給紙されていることを示している前記原稿の頁番号の情報と前記画像情報の読み取りを終了した前記原稿の頁番号の情報とから算出される、前記原稿を再度前記自動原稿供給手段にセットし直すのに必要な原稿戻し枚数を表示する表示手段と、を備えることを特徴とする画像処理装置。
【００１５】
また、本発明において、前記情報管理テーブル手段は、前記原稿の両面または片面に対する読み取りモードに関する露光原稿面の情報が記憶されていることを特徴とする。
また、本発明において、前記表示手段は、前記原稿の搬送異常が確認された場合、前記自動原稿供給手段における前記原稿の停止位置を前記原稿に関する管理情報に基づいて表示することを特徴とする。
【００１６】
【発明の実施の形態】
本発明の実施形態として画像処理装置がデジタル複写機である場合について、以下図面を参照して説明を行う。
【００１７】
なお、本実施例の説明はデジタル複写機に本発明を適用した場合のみを記載しているが、本発明はデジタル複写機のみに適用されるものではなく、原稿画像を読み取るまでの管理と読み取られた画像の管理が必要な、原稿画像読み取り装置や原稿読み取り部を備えた装置全般に適用可能であることは言うまでもない。
【００１８】
まず本実施例で説明するデジタル複写機は、例えば複写モード、プリンタモード、ファックスモード等を有しており、図１にデジタル複写機の全体構成を表す断面図を示し、図１を使ってデジタル複写機の全体構成を説明する。
【００１９】
デジタル複写機３０は大きく分けてスキャナ部３１と、レーザ記録部３２から構成されている。
【００２０】
スキャナ部３１は透明ガラスからなる原稿載置台３５、原稿載置台３５上へ自動的に原稿を供給搬送するための両面自動原稿送り装置（ＡＤＦ）３６、及び原稿載置台３５上に載置された原稿の画像を走査して読み取るための原稿画像読み取りユニット、すなわちスキャナユニット４０から構成されている。
【００２１】
このスキャナ部３１にて読み取られた原稿画像は、画像データとして後述するメイン画像処理ボードとサブ画像処理ボードへ送られ、画像データに対して所定の画像処理が施される。
【００２２】
ＡＤＦ３６は、備えられた図示しない原稿トレイ上に複数枚の原稿を一度にセットしておき、セットされた原稿を１枚ずつ自動的にスキャナユニット４０の原稿載置台３５へ給送する装置である。
【００２３】
またＡＤＦ３６は、オペレーターの選択に応じて原稿の片面または両面をスキャナユニット４０に読み取らせるように、図示しない片面原稿のための搬送経路、両面原稿のための搬送経路、搬送経路切り換え手段、各部を通過する原稿の状態を把握し管理するセンサー群、および制御部などから構成されている。このＡＤＦ３６については、従来から多くの出願、商品化がなされているので、これ以上の説明は省略する。
【００２４】
原稿載置台３５上の原稿の画像を読み取るためのスキャナ部３１から構成されるスキャナユニット４０は、原稿面上を露光するランプリフレクターアセンブリ４１と、原稿からの反射光像を光電変換素子（ＣＣＤ）４４に導くための原稿からの反射光を反射する第１反射ミラー４２ａを搭載してなる第１反射ミラーユニット４０ａ、また第１反射ミラーユニット４０ａからの反射光像をＣＣＤ４４に導くための第２、第３反射ミラー４２ｂ、４２ｃを搭載してなる第２走査ミラーユニット４０ｂ、原稿からの反射光像を上述した各反射ミラーを介しＣＣＤ４４上に結像させるための光学レンズ４３、およびＣＣＤ素子４４から構成される。
【００２５】
スキャナ部３１は、ＡＤＦ３６とスキャナユニット４０の関連した動作により、原稿載置台３５上に読み取るべき原稿を順次載置させながら、原稿載置台３５の下面に沿ってスキャナユニット４０を移動させて原稿画像を読み取るように構成されている。
【００２６】
特に第１走査ミラーユニット４０ａは、原稿載置台３５に沿って左から右へ一定速度Ｖで走行させられ、また第２走査ミラーユニット４０ｂは、その速度Ｖに対してＶ／２の速度で同一方向に対し平行に走査制御される。
【００２７】
これにより、原稿載置台３５上に載置された原稿の画像を１ライン毎に順次ＣＣＤ４４へと結像させて画像を読み取ることとなる。
【００２８】
原稿画像をスキャナユニット４０にて読み取ることにより得られた画像データは、後述するメイン画像処理ボードとサブ画像処理ボードへ送られ、各種画像処理が施された後、画像処理ボードのメモリに一旦記憶され、出力指示に応じてメモリ内の画像を読み出してレーザー記録部３２に転送し、記録シート上に画像を形成させる。
【００２９】
このレーザー記録部３２は画像を形成させるための記録材であるシートＰの搬送系３３、レーザー書き込みユニット４６、および画像を形成するための電子写真プロセス部４７を備えている。
【００３０】
レーザー書き込みユニット４６は、上述したスキャナユニット４０にて読み取った後のメモリから読み出した画像データまたは外部の装置から転送されてきた画像データに応じてレーザー光を出射する図示しない半導体レーザー光源、レーザー光を等角速度偏向する図示しないポリゴンミラー、等角速度で偏向されたレーザー光が電子写真プロセス部４７を構成する感光体ドラム４８上で等角速度偏向されるように補正する図示しないｆ−θレンズなどを有している。
【００３１】
電子写真プロセス部４７は、周知である感光体ドラム４８の周囲に帯電器、現像器、転写器、剥離器、クリーニング器、除電器を備えている。
【００３２】
一方、シートＰの搬送系は、上述した画像形成を行う電子写真プロセス部４７の特に転写器が配置された転写位置へとシートＰを搬送する搬送部３３、該搬送部３３へとシートＰを送り込むためのカセット給紙装置５１、５２または、必要なサイズのシートを適宜給紙するための手差し給紙装置５４、転写後のシートＰに形成された画像、特にトナー像を定着するための定着器４９、定着後のシートＰの裏面に再度画像を形成するためにシートＰを再供給するための再供給経路及び両面ユニット５３とを備えている。
【００３３】
また、定着器４９の下流側には、画像が記録されたシートＰを受け取り、このシートＰに対して所定の処理を施すフィ二ッシャーやソーターからなる後処理装置３４が配置されている。
【００３４】
レーザ書き込みユニット４６及び電子写真プロセス部４７では、画像メモリから読み出された画像データに応じて、レーザ書き込みユニット４６によってレーザ光線を走査させることにより感光体ドラム４８の表面上に静電潜像を形成し、トナーにより感光体４８上で可視像化されたトナー像は多段カセット給紙装置５１、５２のいずれかの給紙部から搬送されたシートＰ上に静電転写され定着される。
【００３５】
このようにして画像が形成されたシートＰは定着器４９から排紙ローラ５７を経由して後処理装置３４内へと搬送される。
【００３６】
（画像処理部の回路説明）
次にこのデジタル複写機３０における、読み取られた原稿画像情報に画像処理を行う画像処理部の構成及び機能について説明する。
【００３７】
図２は、図１のデジタル複写機３０を構成している各種ユニット部、画像処理部などの全体ブロック構成図を表しており、略中央に位置するメイン中央演算処理装置４０１（ＣＰＵ）により各ユニット部毎に搭載された後述するサブ中央演算処理装置（ＣＰＵ）との連携を取りながら動作管理している状態を示す図である。
【００３８】
このブロック図から分かるように、大きくは図面略右上に位置する操作パネルを管理制御するオペレーションパネルボード１００と、図面略左上に位置するデジタル複写機３０を構成する各ユニットを管理制御するマシンコントロールボード２００と、図面略左下に位置する原稿画像を電気的に読み取り電子データとするＣＣＤ３０１（４４）から構成されるＣＣＤボード３００と、ＣＣＤボード３００にて電子データ化された原稿画像に対して所定の画像処理を施し図面略中央に位置するメイン画像処理ボード４００と、このメイン画像処理ボード４００にて処理された画像情報に対してさらに所定の画像処理を施すサブ画像処理ボード５００と、さらに、図面略右下に位置するサブ画像処理ボード５００にインターフェイスを介して接続されたその他の拡張ボード群６００（プリンタボード６０１、機能拡張ボード６０２、ＦＡＸボード６０３）などから構成されている。なお、ここでいうＣＣＤ３０１（４４）の（４４）とは、図２のＣＣＤ３０１が図１のＣＣＤ４４に対応することを意味しており、以下の記載でも括弧内の数字は順不同で同様の意味を表しているものとする。
【００３９】
以下、各ボード毎に管理制御している内容について説明する。
【００４０】
（オペレーションパネルボード）
オペレーションパネルボード１００は、基本的にサブの中央演算処理装置（ＣＰＵ）１０１により制御されており、操作パネル１０３上に配置されたＬＣＤ表示部１０４の表示画面、各種モードに関する指示を入力する操作キー群１０５からの操作入力などを管理している。
【００４１】
そして操作キー群１０５から入力されたデータ、ＬＣＤ画面に表示させる情報など操作パネルにおける各種制御情報を記憶しておくメモリ１０２が設けられている。
【００４２】
この構成において、サブの中央演算処理装置（ＣＰＵ）１０１は、メインの中央演算処理装置（ＣＰＵ）４０１と制御データの通信を行い、デジタル複写機３０の動作指示を行う。
【００４３】
また、メインの中央演算処理装置４０１からは、デジタル複写機３０の動作状態を示す制御信号をサブの中央演算処理装置（ＣＰＵ）１０１へと転送することで、操作パネル１０３のＬＣＤ表示部１０４を通して装置が現在どのような動作状態にあるのかをオペレーターへ表示するようになっている。
【００４４】
（マシンコントロールボード）
マシンコントロールボード２００は、サブの中央演算処理装置２０１により全体が制御されており、ＡＤＦ・ＲＡＤＦなどの自動原稿送り装置２０３（３６、以降ＡＤＦの記載で統一する）、原稿画像を読み取る読取スキャナ部２０４（３１）、画像情報を画像として再現するプロセス部２０５（４８）、画像が記録される用紙を収納部からプロセス部２０５（４８）へ向かって順次搬送する給紙搬送部２０６（３３）、画像が記録された用紙を反転させて用紙の両面に画像が形成されるように用紙を反転搬送する両面ユニット２０７（５３）、画像が記録された用紙に対してステープルなどの後処理を行うフィニッシャー２０８（３４）などを管理している。
【００４５】
（ＣＣＤボード）
ＣＣＤボード３００は、原稿画像を電気的に読み取るためのＣＣＤ３０１（４４）、ＣＣＤ３０１（４４）を駆動する回路（ＣＣＤゲートアレイ）３０２、ＣＣＤ３０１（４４）から出力されるアナログデータのゲイン調整などを行うアナログ回路３０３、ＣＣＤ３０１（４４）のアナログ出力をデジタル信号に変換して電子データとして出力するＡ／Ｄ変換器３０４などから構成され、制御管理はメインの中央演算処理装置４０１により行われている。
【００４６】
（メイン画像処理ボード）
メイン画像処理ボード４００は、メインの中央演算処理装置４０１により制御され、ＣＣＤボード３００から送られてきた原稿画像の電子データをもとに、画像の階調性を所望の状態で表現できるように、シェーディング補正、濃度補正、領域分離、フィルタ処理、ＭＴＦ補正、解像度変換、電子ズーム（変倍処理）、ガンマ補正など多値の画像データの状態のまま処理を施す多値画像処理部４０２、処理が施された画像データあるいは処理の手順管理など各種制御情報を記憶させておくメモリ４０３、処理が施された画像情報でもって画像を再現するためにレーザ書き込みユニット４６側へとデータを転送制御するレーザーコントロール４０４などから構成される。
【００４７】
（サブ画像処理ボード）
サブ画像処理ボード５００は、メイン画像処理ボード４００とコネクタ接続され、メイン画像処理ボード４００上のメインの中央演算処理装置４０１により制御された、２値画像処理部５０１、画像処理の施された２値画像情報、あるいは処理上での制御情報などを記憶管理するメモリおよびメモリを制御するゲートアレイ５０２、複数枚の原稿画像情報を記憶管理しておき、複数枚の原稿画像を繰り返し所望部数の数だけ読み出して複数の複写物を生成するためのハードディスクおよびハードディスクを制御するゲートアレイ５０３、外部インターフェイスとしてのＳＣＳＩおよびＳＣＳＩを制御するゲートアレイ５０４などから構成される。
【００４８】
また、２値画像処理部５０１は、多値画像情報を２値画像に変換する多値２値変換処理部、画像を回転する画像回転処理部、２値画像の変倍処理を行う２値変倍（ズーム）処理部などから構成され、さらに、通信手段を介してファックス画像を送受信するためのファックスインターフェイス部も備えている。
【００４９】
（拡張ボード）
拡張ボード６００としては、パーソナルコンピュータなどから送られてくるデータをデジタル複写機のプリンタ部からプリンタモードとして出力可能とするためのプリンタボード６０１、デジタル複写機の編集機能を拡張してデジタル複写機の特徴を有効活用するための機能拡張ボード６０２、デジタル複写機のスキャナ部から読み込んだ原稿画像を相手先に対して送信したり、相手先から送られてきた画像情報をデジタル複写機のプリンタ部から出力することを可能にするファクシミリボード６０３などがある。
【００５０】
以下にデジタル複写機の画像処理として、コピー、ファックス、プリンタの各モードを実行する際の画像データ処理や画像データの流れに関する詳細説明を行う。
【００５１】
（コピーモード）
デジタル複写機３０のＡＤＦ３６（２０３）の所定位置にセットされた原稿は、１枚ずつスキャナユニット４０（２０４）の原稿載置台３５上へ順次供給され、原稿の画像は先述のスキャナユニット４０（２０４）の構成により順次読み取られ、８ビットの電子データとしてメイン画像処理ボード４００へ転送される。
【００５２】
メイン画像処理ボード４００に転送された８ビットの電子データは、８ビットの電子画像データとして多値画像処理部４０２上で所定の処理が施される。
【００５３】
そして、８ビットの電子画像データにガンマ補正などの処理を行い、レーザーコントロール部４０４を介してレーザー書き込みユニット４６へと送られる。
【００５４】
これにより、スキャナ部３１（２０４）にて読み取られた原稿画像は、レーザー記録部３２より、階調性のあるコピー画像として出力される。
【００５５】
（コピーモードにおける電子ＲＤＨ機能）同じくデジタル複写機３０のＡＤＦ３６（２０３）の所定位置にセットされた原稿は、１枚ずつスキャナユニット４０（２０４）の原稿載置台３５上へ順次供給され、原稿の画像は先述のスキャナユニット４０（２０４）の構成により順次読み取られ、８ビットの電子データとしてメイン画像処理ボード４００へ転送される。なお、ＲＤＨとは、Recirulating Document Handlerの略称であって、原稿を自動搬送しながら読み取る装置のことである。
【００５６】
メイン画像処理ボード４００に転送された８ビットの電子データは、８ビットの電子画像データとして多値画像処理部４０２上で所定の処理が施される。
【００５７】
そして、この８ビットの電子画像データは、次にメイン画像処理ボード４００側のコネクタ４０５からサブ画像処理ボード５００側のコネクタ５０５を介してサブ画像処理ボード５００側へ送られ、２値画像処理部５０１の多値２値変換部において誤差拡散などの処理と共に８ビットの電子画像データから２ビットの電子画像データに変換される。
【００５８】
なお、８ビットの電子画像データを誤差拡散などの処理を含めて２ビットの電子画像データに変換しているのは、単純に多値２値変換を行っただけでは画質に問題が生じることがあるので、画質の劣化が少なくなるように配慮しているためであり、さらに画像の記憶容量などを考慮したためでもある。
【００５９】
以上のように変換された２ビットの電子画像データは、原稿１枚毎にハードディスクなどのディスクメモリ５０３へと転送されて一時的に記憶管理される。
【００６０】
デジタル複写機３０のＡＤＦ３６（２０３）にセットされた原稿群の全てが読み取り処理されると、一時的にハードディスク５０３に記憶された２ビットの電子画像データはゲートアレイの制御により指定された部数分だけ繰り返し読み出され、読み出された２ビットの電子画像データは、再度コネクタ接続部４０５、５０５を介してメイン画像処理ボード４００へ送られ、ガンマ補正などの処理を行い、レーザーコントロール部４０４を介してレーザー書き込みユニット４６へ送られる。
【００６１】
なお上記説明では、全ての原稿群の画像が読み取られてから画像群を所望する部数の数だけ繰り返し読み出すようにして説明したが、１部目の画像出力は所定分の画像が準備できた段階で順次出力するように構成することも可能である。
【００６２】
これにより、デジタル複写機３０のスキャナ部３１（２０４）にて読み取られた原稿画像は、レーザー記録部３２から階調性のあるコピー画像として出力される。
【００６３】
（プリンタモード）
パーソナルコンピュータなどのネットワーク接続された外部機器から送られてきた画像は、プリンタボード６０１上でページ単位の画像としてボード６０１上で展開された後、インターフェイスであるＳＣＳＩ５０４から一旦サブ画像処理ボード５００側へ転送されハードディスク５０３などのメモリへと記憶される。
【００６４】
なお、プリンタボード６０１上でページ画像として展開された画像は、サブ画像処理ボード５００側に送られるが、ページ画像に２値画像処理は行わず、ハードディスク５０３に一時記憶されるだけである。
【００６５】
また、一旦記憶されたページ画像がハードディスク５０３から読み出される時も、ページ画像に対する２値画像処理は行わない。
【００６６】
そしてハードディスク５０３へ一時記憶された画像情報は、所定のページ順となるようにハードディスク５０３から読み出されながらメイン画像処理ボード４００へと送られてガンマ補正を行い、レーザコントロール４０４からレーザー書き込みユニット４６にて画像を再現するよう画像の書き込みが制御される。
【００６７】
（ファックスモード）
ファックスモードには、相手先に対する原稿の送信と、相手先からの原稿の受信に対する処理がある。
【００６８】
まず相手先に対する原稿の送信について説明すると、デジタル複写機３０のＡＤＦ３６（２０３）の所定位置にセットされた送信原稿は、１枚ずつスキャナユニット４０（２０４）の原稿載置台３５上へと順次供給され、送信原稿の画像は先に説明したスキャナユニット４０（２０４）の構成により順次読み取られ、８ビットの電子データとしてメイン画像処理ボード４００へと転送される。
【００６９】
メイン画像処理ボード４００に転送された８ビットの電子データは、８ビットの電子画像データとして多値画像処理部４０２上で所定の処理が施される。
【００７０】
そして、この８ビットの電子画像データは、次にメイン画像処理ボード４００側のコネクタ４０５からコネクタ５０５を介してサブ画像処理ボード５００側に送られ、２値画像処理部５０１の多値２値変換処理部において誤差拡散などの処理と共に８ビットの電子画像データから２ビットの電子画像データに変換される。
【００７１】
なお、８ビットの電子画像データを誤差拡散などの処理を含めて２ビットの電子画像データに変換しているのは、ただ多値２値変換を行っただけでは画質的に問題が発生する恐れがあるので、画質の劣化が少なくなるように配慮しているものである。
【００７２】
このようにして２値画像化された送信原稿は、所定の形式で圧縮されメモリ５０２に記憶される。
【００７３】
そして相手先との送信手続きを行い送信可能な状態が確保されると、メモリ５０２から読み出され所定の形式で圧縮された送信原稿画像はファックスボード６０３側へと転送され、このファックスボード６０３上で圧縮形式の変更など必要な処理を施して、相手先に対して通信回線を介して順次送信されることとなる。
【００７４】
次に相手先から送信されてきた原稿画像の処理について説明する。
【００７５】
相手先から通信回線を介して原稿が送信されてくると、ファックスボード６０３での通信手続きを行いながら相手先から送信されてくる原稿画像を受信すると共に、所定の形式に圧縮された状態の受信画像は、サブ画像処理ボード５００の２値画像処理部５０１に設けられたファックスインターフェイスから２値画像処理部５０１へと送られ、圧縮伸張処理部などによりページ画像として送信されてきた原稿画像を再現する。
【００７６】
そして、ページ単位の画像として再現された原稿画像は、メイン画像処理ボード４００側へと転送された後にガンマ補正され、レーザコントロール４０４からレーザー書き込みユニット４６にて画像を再現するよう画像の書き込みが制御される。
【００７７】
以上の構成から分かるように、画像情報に所定の処理を施す画像処理部は、主としてスキャナ部３１（２０４）から読み取り入力された原稿画像を多値の画像情報として処理するメイン画像処理ボード４００と、このメイン画像処理ボード４００にて多値画像情報として処理された原稿画像情報に対して２値化処理など所定の処理を施したり、外部インターフェイスを介して接続された機器から送られてきた画像情報に対して所定の処理を施した後、多値画像処理部（メイン画像処理ボード４００）側へと転送したりするサブ画像処理ボード５００とに分割構成されている。
【００７８】
また、メイン画像処理ボード４００には、画像をレーザー書き込みユニット４６から電子写真プロセスの感光体４８上に再現させるため、レーザ書き込みユニット４６の画像情報の書き込みを制御するためのレーザーコントロール４０４が含まれている。
【００７９】
この構成により、スキャナ部３１（２０４）から読み取り入力された原稿画像は、多値画像として原稿が有する画像の特徴を損なうことなくレーザー記録部３２からコピー画像として再現可能であり、大量の原稿を高速出力処理する場合などは、サブ画像処理ボード５００、ハードディスク５０３などを用いることで再現可能となっている。
【００８０】
また、ファックス、プリンタなど外部機器からの画像情報に対する処理および出力、ファックスに限ってはさらに、多値画像処理が施された（原稿画像の特徴が保たれた）送信原稿に対する２値化処理など、デジタル複写機３０として備えられたデジタルの特徴機能に合わせて画像情報に適切な処理を施すことか可能な構成となっている。
【００８１】
さらに、画像処理部を分散させることで、デジタル複写機３０のバリエーション（商品ラインナップ）を多種多様揃えることが可能であり、ユーザーの要望に合わせてデジタル複写機を設置することができ、また、設置後もユーザーの要望に合わせてシステム展開を簡単にはかることが可能である。
【００８２】
また、メイン画像処理ボード４００上に配置された中央演算処理装置４０１は、上述の通りサブ画像処理ボード５００をも管理制御しているので、それぞれの処理部において、連続して処理される画像全体の流れが管理され、データおよび処理の流れもスムーズとなり、画像データが失われることもない。
【００８３】
（操作パネル部）
図３は、デジタル複写機３０における操作パネルユニット７５（１０３）を表したものであり、操作パネル７５（１０３）の中央部分にはタッチパネル液晶表示装置６（１０４）が配置されていて、その周囲にも各種モード設定キー群が配置されている。
【００８４】
このタッチパネル液晶表示装置６（１０４）の画面上には、常時各種モードを選択するための基本スタート画面が表示されており、必要に応じて所望するモードの指示に関するエリアを指で直接押圧操作することにより、各種モード選択が指示できるように液晶画面が順次遷移するようになっている。
【００８５】
その表示された各種モードの中から、オペレーターが所望する機能が表示されている領域を指で触れることにより、編集機能を設定することができる。
【００８６】
操作パネルユニット７５（１０３）上に配置された各種設定キー群について簡単に説明すると、まず液晶表示装置６（１０４）の略中央部にはデジタル複写機の概観図が表示されており、概観図の下方にはコピー濃度を設定するコピー濃度設定キー７、用紙サイズを設定する用紙サイズ設定キー８、複写倍率を設定する倍率設定キー９が設けられている。
【００８７】
また操作パネル７５（１０３）上には、原稿画像を編集する編集モード設定画面に液晶表示画面を遷移させる特別機能モードキー１０、両面複写モードに移行させて処理モードを設定するための設定画面に液晶表示画面６（１０４）を遷移させる両面複写モードキー１１、ソータ・ステープルなどのアウトプットモードの指示画面に液晶表示画面を遷移させるためのキー１２、現在設定されているモードの内容を確認するための設定確認キー１３がそれぞれ配置されている。
【００８８】
さらに、操作方法などのガイダンス情報を画面に表示させるための操作ガイドキー１４、操作ガイドキー１４の操作により液晶表示部６上に表示されたガイダンス情報を上下方向にスクロールさせてガイダンス情報全体を表示確認するためのスクロールキー１４１、１４２、複写枚数などの数値情報を入力するためのテンキー１５、現在処理中の複写モードに新たな複写モードを割り込ませて処理させるための割り込みキー１６、テンキーなどにより入力されている条件をクリアするクリアキー１７、デジタル複写機の状態をすべてクリアして標準の状態に復帰させるためのオールクリアキー１８、これらキーにより設定されたモードにおいて処理の開始を指示するためのスタートキー１９が設けられている。
【００８９】
次いで操作パネル７５の左側に配置された３つのキー群は、上から順にファックスモード、プリンタモード、コピーモードにデジタル複写機を切り換えて動作させるためのファックスモードキー２０、プリンタモードキー２１、コピーモードキー２２である。ここで、操作パネル７５（１０３）の各種キーは図２の操作キー１０５として示されている。
【００９０】
なお、上述の操作パネル及びその操作パネル上に配置される各種キーは、あくまでも１実施例として説明したものであり、デジタル複写機に搭載される各種機能によって操作パネル上に設けられるキーが異なることはいうまでもない。
【００９１】
図４は、原稿管理テーブルにおいて、原稿画像毎に管理されている原稿画像に関する情報の内容及び構成の概念図を表したものである。
【００９２】
本実施例において、原稿管理テーブル７００は、原稿画像の特徴に関する情報と原稿画像に対する処理に関する情報などが設定管理されている。なお、本発明でいう管理方法は原稿の画像１つにつき１つの管理テーブルが準備されるものに限定されるものではなく、例えば複数の原稿画像について１つの管理テーブルを準備するものでも良いことは勿論である。
【００９３】
さて、図４に基づいて原稿管理テーブル７００について説明すると、原稿画像に対する管理テーブルは、左側から順に管理テーブルマーク部７０１、スキャナ管理部７０２、原稿管理部７０３、スキャナ管理ビット部７０４、原稿管理ビット部７０５から構成されており、ある単一の画像に対し上記データ、ポインタ、フラグ等が対応付けられる。
【００９４】
そしてこの原稿管理テーブル７００には、例えばポインタがセットされるポインタ管理テーブル７０６も設けられており、スキャナ部にて処理している原稿画像を表すスキャナ用ポインタと、処理すべき原稿を表している原稿用ポインタと、トラブル発生時のリカバリを管理するためのリカバリ用ポインタが必要に応じて書き込まれ、処理の流れに応じてポインタは変位される。
【００９５】
まず管理テーブルマーク部７０１は、この管理テーブルが有効であるのか無効であるのかのマーキングを行うものである。
【００９６】
この管理テーブルマーク部７０１には、当初、原稿の存在が明確になっていないので不確定の意味を表す「０」がセットされており、原稿検出センサなどにより原稿の存在が確定した段階で、原稿が存在するものとして管理テーブルが有効であることを表す「１」がセットされる。なお上述の「０」又は「１」は便宜上数字で標記しているが、各種記録媒体やメモリ手段等でＣＰＵ等の処理手段が、０、１、２、３、４の計５種類の状態を認識できるものであれば良い。
【００９７】
そして、原稿を読み取る段階でＡＤＦ３６（２０３）における搬送異常、搬送中のＡＤＦ３６（２０３）の開放など原稿の読み取りが行えない場合には、読み取りが無効であることを表す「２」がセットされ、所定の読み取り動作により原稿の画像が読み取られると、原稿画像の読み取りが完了したとして、露光完了の意味を表す「３」がセットされる。
【００９８】
さらに、所定の読み取り動作により原稿の画像が読み取られたものの、読み取りが完了した原稿をＡＤＦ３６（２０３）により装置外へ搬送排出する段階で搬送異常が発生したものは、原稿画像としては有効であることを表す「４」がセットされる。
【００９９】
以上のように、この管理テーブルマーク部７０１に管理されている情報を確認すれば、原稿画像の読み取り状態、ならびに原稿の排出状態などが確認できる。
【０１００】
次にスキャナ管理部７０２は、さらに細かい情報管理テーブルで構成されており、スキャナユニット４０（２０４）の停止している位置を表す走査基点情報７０２ａ、スキャナユニット４０（２０４）の走査開始位置を表すスタート位置情報７０２ｂ、スキャナユニット４０（２０４）の原稿走査完了位置を表す走査終了位置情報７０２ｃ、スキャナユニット４０（２０４）により走査される原稿の倍率を表す走査倍率７０２ｄ等の情報が管理されている。
【０１０１】
走査基点情報７０２ａは、先にも述べたように原稿画像を走査するスキャナユニット４０（２０４）が待機している基準となる停止位置のことであり、走査基点情報７０２ａを基準として、スキャナユニット４０（２０４）による原稿の走査開始位置までの距離を表す情報がスタート位置情報７０２ｂであって、例えばミリ単位の数値情報としてセットされている。
【０１０２】
また、走査終了位置情報７０２ｃも同じように、走査基点情報７０２ｃを基準として、スキャナユニット４０（２０４）による原稿の走査終了位置までの距離が走査終了位置情報７０２ｃであって、原稿サイズと、用紙サイズと複写倍率から求められる画像サイズの小さいサイズから求められ、例えばミリ単位の数値情報がセットされている。
【０１０３】
さらに走査倍率情報７０２ｄは、例えばデジタル複写機３０の操作パネル１０３上の倍率設定手段などにより設定された複写倍率値がセットされる。
【０１０４】
以上のように、この管理テーブルにセットされている各種情報に基づいて、原稿画像を走査するスキャナユニット４０（２０４）を制御すれば、所定の走査開始位置７０２ｂから走査倍率情報７０２ｄに応じた走査速度に向かって加速すると共に、原稿先端領域にスキャナユニット４０（２０４）が達したときには安定した所定の走査速度で原稿画像を走査することが可能となる。
【０１０５】
そして、複写倍率、原稿サイズ、もしくは最大走査範囲などの情報から設定された走査終了位置情報７０２ｃに基づいて走査速度を減速させ、その後スキャナユニット４０（２０４）のホームポジションに向かって復動（リターン）させるように制御すれば、１つの原稿画像に対する読み取り走査が完了することとなる。
【０１０６】
次に原稿管理部７０３は、原稿毎の原稿に関する情報として識別管理できるようにするために設けられた原稿ＩＤ情報７０３ａと、原稿のサイズを管理するための原稿サイズ情報７０３ｂと、原稿の露光される面を管理する露光原稿面情報７０３ｃとをそれぞれ管理する複数の管理テーブルから構成されている。
【０１０７】
先にも述べたように、原稿ＩＤ情報７０３ａは、１原稿画像単位で管理テーブルの情報が識別管理できるように設けられた識別情報であり、原稿サイズ情報７０３ｂは、例えばＡＤＦ３６（２０３）の原稿供給部に配置された原稿サイズ検出手段により検出された原稿サイズ情報がセットされる。
【０１０８】
露光原稿面情報７０３ｃは、１原稿の表側の画像であるのか裏側の画像であるのか識別するための表裏を表す情報がセットされている。
【０１０９】
この情報は、例えばデジタル複写機３０の操作パネル７５（１０３）上に配置された原稿読み取りモード設定キー（両面複写モードキー１１）により、原稿が両面原稿であるのか片面原稿でるのかのいずれかが選択されることによって、ＡＤＦ３６（２０３）による原稿の搬送モードが切り換えられ、このとき読み取られる原稿面が搬送されて読み取られる原稿の表側なのか裏側なのかに応じてセットされる。
【０１１０】
次にスキャナ管理ビット７０４は、原稿画像を走査するモードを管理するスキャンモードビット７０４ａと、スキャナの状態を管理するためのスキャナ状態ビット７０４ｂと、コピーランプの状態を管理するためのコピーランプ状態ビット７０４ｃ、７０４ｄと、ＩＣＵ（画像コントロールユニット）側からの指示による原稿に対するスキャンを継続するか管理するための最終スキャンビット７０４ｅと、ＩＣＵ側からの画像転送要求の有無を管理するための画像転送要求ビット７０４ｆなどから構成されている。
【０１１１】
例えばスキャンモードビット７０４ａとして、「０１」がセットされていればスキャナユニット４０（２０４）を往動作させ、「１１」がセットされていればスキャナユニット４０（２０４）を往復動作させ、「１０」がセットされていればスキャナユニット４０（２０４）を復動作させる。
【０１１２】
スキャナ状態ビット７０４ｂは、スキャナ部３１（２０４）の状態を表すビット情報がセットされており、停止中であれば「０００」、スキャン準備中であれば「００１」、フィード中であれば「０１０」、リターン中であれば「１１０」、リターン完了で停止していれば「１００」がそれぞれセットされる。
【０１１３】
コピーランプ状態ビット７０４ｃと７０４ｄは、光源立ち上げ中と光源が所定の状態にあることを表すビットと、光源のオンとオフの状態を把握するためのビットとがあって、先のビットが「０」であれば光源はオフ状態、「１」であれば光源はオン状態であり、また後のビットが「０」であれば光源を所定の発光状態に立ち上げていることを表し、「１」であれば光源が所定の発光状態にあることを表す。
【０１１４】
最終スキャンビット７０４ｅは、原稿に対するスキャンを継続させて行うか否か管理するためのビットであり、今回のスキャンに引き続きスキャン行うのであれば「１」が、また、これ以上の原稿スキャンは行わないのであれば「０」がそれぞれＩＣＵ（画像コントロールユニット）側からの指示によりセットされる。
【０１１５】
画像転送要求ビット７０４ｆは、ＩＣＵ（画像コントロールユニット）側からスキャナユニット４０（２０４）に対して原稿画像の転送要求があったかどうかセットしておくものであり、「０」であれば転送要求はないことを表し、「１」であれば転送要求があったことを表す。
【０１１６】
そして、この転送要求に関するビットに「１」がセットされていれば、ＩＣＵ（画像コントロールユニット）側からの画像転送要求があったものてして、スキャナユニット４０（２０４）を動作させ、原稿画像を走査して画像情報をＩＣＵ（画像コントロールユニット）側に転送することとなる。
【０１１７】
以上のビットを原稿走査前、走査中、走査完了時に確認することで、スキャナ部３１（２０４）におけるスキャナユニット４０（２０４）の走査条件、走査の状態などが確認でき、原稿画像の走査が順次行われることとなる。
【０１１８】
次に原稿管理ビット７０５は、原稿の搬送方法および原稿の状態など原稿に関する情報を管理するビットであり、左から順に長尺モード７０５ａ、済スタンプモード７０５ｂ、原稿セット状態７０５ｃ、原稿位置情報７０５ｄ、最終原稿判定７０５ｅ、原稿露光方式７０５ｆ、原稿ジャム検出７０５ｇ、原稿の搬送動作などを管理するそれぞれのビット７０５ｈ〜７０５ｌから構成されている。
【０１１９】
長尺モードビット７０５ａは、ＡＤＦ３６（２０３）による原稿流し読みモードにより長尺原稿の画像を読み取るか否かを管理するためのものであり、「０」は流し読みモードは行わないことを表し、「１」は流し読みモードにより原稿を搬送して読み取ることを表す。
【０１２０】
済スタンプモードビット７０５ｂは、ＡＤＦ３６（２０３）により搬送され画像が読み取られた原稿に対して、処理済みであることを表す「済」のスタンプを捺印させるか否かを表すものであって、「０」は捺印しないこと、「１」は捺印することを表している。
【０１２１】
原稿セット状態ビット７０５ｃは、原稿が露光される位置にあるかどうかを確認するものであり、原稿が露光位置に達していなければ「０」が、原稿が露光位置に達していれば「１」がセットされている。
【０１２２】
原稿位置情報ビット７０５ｄは、ＡＤＦ３６（２０３）のよる原稿の位置および状態を管理するものであり、「０００」は動作待ち状態、「００１」と「０１０」は予備給紙完了状態、「０１１」は分離された原稿が正常に給紙された給紙完了状態、「１００」は原稿の表裏反転が完了した状態、「１０１」はＡＤＦ３６（２０３）のＳＰＦ（Single Pass Feeder）部におけるフィード完了状態、「１１０」は原稿がＡＤＦ３６（２０３）外に正常に排出された排出完了状態をそれぞれ表している。
【０１２３】
最終原稿判定ビット７０５ｅは、この原稿が最終原稿であるのか、最終原稿ではないのかを管理するのであって、「０」は最終原稿ではないこと、「１」は最終原稿であることをそれぞれ表している。
【０１２４】
原稿露光方式ビット７０５ｆは、ＡＤＦ３６（２０３）とスキャナユニット４０（２０４）による読み取りモードを管理するたものものであり、原稿は停止させた状態でスキャナユニット４０（２０４）の副走査により画像を読み取るモードを表す「０」、スキャナユニット４０（２０４）は停止させた状態で原稿を搬送させながら画像を読み取るモードを表す「１」のいずれかがセットされる。
【０１２５】
原稿ジャム検出ビット７０５ｇは、ＡＤＦ３６（２０３）内において原稿搬送ジャムが発生したかどうか管理するためのものであり、正常であることを表す「０」、ジャムが発生したことを表す「１」がセットされる。
【０１２６】
原稿搬送動作ビット７０５ｈ〜７０５ｌは、ＡＤＦ３６（２０３）における各部を所定の手順に従って動作させ、原稿を給紙から搬送、排出させるために、各部の動作許可信号を管理するものであって、予備給紙部、給紙搬送部、表裏反転部、ＳＰＦフィード部、原稿排出部において動作を禁止する場合は「０」が、動作を許可する場合は「１」がそれぞれセットされる。
【０１２７】
以上の原稿管理ビットに管理されている情報に基づいて、原稿のＡＤＦ３６（２０３）による供給がそれぞれ管理され、１つの原稿画像として読み取られるまでの処理工程が完成される。
【０１２８】
以上が原稿管理テーブルを構成する各管理部についての詳細説明である。
【０１２９】
本実施例でいう原稿管理テーブル７００は前述の通り、原稿の画像毎に管理されるものを例示しており、デジタル複写機３０のスキャナを管理するＣＰＵ２０１（中央演算処理装置）と、このＣＰＵ２０１により管理された例えばＲＡＭ２０２（ランダムアクセスメモリ）により管理されているものであり、図６のデータ管理部８０３に相当する。
【０１３０】
図５（Ａ）は、複数の原稿画像を管理している原稿管理テーブル７００の状態を表したものであって、あらかじめ所定数の原稿画像に関する情報が管理できるよう、所定枠分の管理テーブルが確保されている。
【０１３１】
ここで管理テーブルの枠が最大５０となっているのは、ＡＤＦとして最大５０枚までと仕様上設定してあるからであり、原稿の両面画像を読み取る場合や仕様上の枚数を越えてセットされた原稿束である場合などは、必要に応じて５０枚以上の原稿画像を管理できるように拡大させることは可能となっている。
【０１３２】
この管理テーブルを拡大するタイミングとしては、原稿の画像を読み取っているときに管理テーブルの残り数が少なくなってきたときに自動的に拡大するようにしておくことも可能であり、最初から大きい数の管理テーブルを準備しておくようにしてもよい。
【０１３３】
まず、ＡＤＦ３６（２０３）の所定位置に原稿がセットされたことが原稿検出センサなどにより確認されると、図５（Ｂ）に示すように、まずは最低１枚の原稿として管理テーブルマーク部７０１には管理テーブルが有効であることを示す「１」がセットされると共に、原稿管理部７０３においては、１つ目の原稿画像として「００１」が、また原稿サイズとしてはＡＤＦ３６（２０３）の原稿トレイ上に配置された原稿サイズ検出センサにより検出されたサイズ情報７０３ｂ、例えば「Ａ４」がセットされ、さらに露光される原稿の表側（第１面側）であるとして「０」がセットされる。
【０１３４】
次に原稿画像の対する複写モードがデジタル複写機３０の操作パネル１０３上から設定されるので、図５（Ｃ）にあるように、この操作パネル１０３により設定された複写モードなどから、スキャナ管理部７０２に複写倍率７０２ｄ、走査開始位置７０２ｂ、走査終了位置７０２ｃなどのデータがセットされる。
【０１３５】
さらに、ＡＤＦモードにより原稿を処理するモード（両面原稿モード、片面原原稿モード）などにより原稿管理ビット７０５においても、原稿の搬送制御などに必要な情報がセットされる。
【０１３６】
そして、操作パネル上のプリントスイッチ１９が押下されると、ＩＣＵ（画像コントロールユニット）側からスキャナ管理ビット７０４の画像転送要求を意味するビット管理部７０４ｆに画像の要求を意味する「１」がセットされ、あとは所定のシーケンスに基づいて原稿のＡＤＦ３６（２０３）による搬送、また搬送された原稿の画像を読み取るためのスキャナユニット４０（２０４）による原稿読み取りが行われる。
【０１３７】
このときのＡＤＦ３６（２０３）による原稿搬送のための指示、搬送状態については、原稿管理ビット７０５上でもって管理されており、また、スキャナ部の所定の位置に搬送された原稿の画像を読み取るためのスキャナユニット４０（２０４）の走査指示、走査動作の状況については、スキャナ管理ビット７０４により管理されている。
【０１３８】
そして、ＡＤＦ３６（２０３）により原稿の画像面がスキャナ部２０４の読み取り位置に向かって搬送されることとなり、スキャナ部２０４の読み取り位置にセットされた原稿の画像面がスキャナユニット４０（２０４）の走査により原稿画像として読み取られ、その後原稿はＡＤＦ３６（２０３）の外に排出されることとなる。
【０１３９】
このとき、ＡＤＦ３６（２０３）により搬送される原稿のサイズが、原稿を原稿トレイ上にセットした段階で検出した結果として「Ａ４」の情報が管理されているが、実際に原稿を搬送してみて搬送路中における原稿の通過時間からサイズを割る出してみると、もしそれが「Ａ３」であるならば、所定のタイミングで原稿管理部７０３において管理されている原稿サイズ情報７０３ｂや、スキャナ管理部７０２の原稿走査終了位置情報を「４２０ｍｍ」というように変更するようになっている。
【０１４０】
そして、スキャナ管理部７０２、スキャナ管理ビット７０４、原稿管理ビット７０５において管理されている管理データに基づいて原稿画像の読み取りが行われると、原稿画像は画像メモリに原稿管理テーブル７００と対応させて記憶され、原稿がＡＤＦ３６（２０３）から排出されたことが確認されると、原稿画像の読み取りが完了したとして管理テーブルマーク部７０１は、「１」から「３」に書き換えられ管理される。
【０１４１】
一方、１枚目の原稿をＡＤＦ３６（２０３）により搬送してみて、さらなる原稿の存在が原稿トレイ上にて確認されると、２つ目の原稿画像として読み取りができるように、次の管理テーブルマーク部７０１に「１」、原稿ＩＤに「００２」など１つ目の原稿画像の時と同様にして情報を各テーブルとビットにセットを行い、２つ目の原稿画像に関する情報を管理したテーブルとして準備する。
【０１４２】
そして、先の原稿の画像読み取りが完了した段階で、ＡＤＦ３６（２０３）により際の原稿と交換されるよう搬送供給される。
【０１４３】
また、ＡＤＦ３６（２０３）を用いることなく原稿カバーとしてＡＤＦ３６（２０３）を手動で開閉しながら原稿を交換して順次読み取らせることも可能である。
【０１４４】
このようにして原稿の画像を読み取った場合には、管理テーブルマーク部７０１、スキャナ管理部７０２、原稿管理部７０３、スキャナ管理ビット７０４のテーブル部分については、上述の通りそれぞれの管理データがセットされ、原稿画像の読み取りが行われる。
【０１４５】
なお、このときの原稿管理ビット７０５については、ＡＤＦ３６（２０３）の動作を禁止して原稿載置台３５に対して開閉可能な原稿カバーとして動作させるよう全てのビットが「０」としてセットされている。
【０１４６】
図６は、スキャナ部２０４（３１）における原稿の搬送処理と、原稿の画像を読み取るための処理を画像単位で管理する原稿管理テーブル７００と、この管理テーブルに管理されている画像単位の情報に基づいて、原稿の搬送から読み取りまでの処理を行うための各モジュール８０１〜８０７との関係について表したものである。
【０１４７】
上述の通り、原稿管理テーブル７００はデータ管理部８０３により管理されているものであり、操作部８０２から指示された複写モード、原稿サイズ検出部８０４にて検出された原稿サイズなどにより管理テーブルが準備され、操作部８０２に設けられたプリントスイッチ１９の操作などにより、読み取った画像を出力する所定の準備が確認された段階で画像処理部８０１から管理テーブル７００側に画像の要求信号を出力すれば、あとはスキャナ制御部８０７、コピーランプ制御部８０６、ＡＤＦ部８０５など原稿画像の読み取りに必要な各ユニットが、管理テーブルに管理されている各種データに基づいて、原稿画像のＡＤＦ３６（２０３）による搬送およびスキャナユニット４０（２０４）による原稿画像の読み取りが行われる。
【０１４８】
そして、原稿画像の読み取りが行われている間は、ＡＤＦ３６（２０３）の状態、スキャナユニット４０（２０４）の状態、原稿の状態などが管理データとして原稿管理テーブル７００上において管理されており、さらにこれら管理データに基づいて原稿管理テーブル７００に設けられたポインターが変位している。
【０１４９】
従って、ＡＤＦ３６（２０３）による原稿の搬送異常が発生した場合には、この搬送異常状態を解除して原稿画像の読み取りを再開させる時、この管理テーブル上に管理されているポインター情報に基づいてトラブルのリカバリーを行うことができる。
【０１５０】
なお、例えば図６の画像処理部８０１は図２のメイン画像処理ボード４００とサブ画像処理ボード５００、操作部８０２はオペレーションパネルボード１００、データ管理部８０３はメモリ１０２、２０２、４０３、５０２、ＡＤＦ部８０５はＡＤＦ２０３，コピーランプ制御部８０６とスキャナ制御部８０７はマシンコントロールボード２００等にそれぞれ対応するが、他の対応となっても良く、詳細な説明は省略する。
【０１５１】
次に各種原稿読み取りモードにおいて読み取られる原稿画像の管理状況、およびポインター情報の変位について説明する。
【０１５２】
（４枚の片面原稿を読み取る場合）
図７は、４枚の片面原稿（サイズＡ４）をＡＤＦ３６（２０３）により順次搬送して読み取り、読み取られた原稿画像を画像メモリに記憶させた場合の原稿管理テーブル７００の内容とポインタ情報７０６の変位について表したものである。
【０１５３】
原稿管理テーブル上において、原稿画像毎に作成される管理テーブルとしては、片面原稿であることから画像が原稿の片面にのみ存在するので、結果として４つの管理テーブルが作成され各種データが管理されることとなる。
【０１５４】
まず４枚の原稿がＡＤＦ３６（２０３）の原稿トレイ上にセットされると、管理テーブル１に確認された原稿に関する情報として、管理テーブルマーク部７０１には「１」、原稿管理部７０３の原稿ＩＤ７０３ａには「００１」、原稿サイズ７０３ｂには「Ａ４」、露光原稿面７０３ｃには「表」などの対応する情報がセットされる。
【０１５５】
そして、この原稿をＡＤＦ３６（２０３）の原稿トレイから原稿載置台３５上に向かって供給すると、原稿トレイ上においてさらなる原稿の存在が確認されるので、管理テーブル１の原稿管理ビット７０５中の最終原稿判定ビット７０５ｅには最終の原稿ではないとして「０」がセットされ、新たに管理テーブル２として管理テーブルマーク部７０１には「１」、原稿管理部７０３の原稿ＩＤ７０３ａには「００２」、原稿サイズ７０３ｂには「Ａ４」、露光原稿面７０３ｃには「表」を表す情報などがそれぞれセットされる。
【０１５６】
さらに２枚の原稿が原稿載置台３５に向かって予備給紙されると、３枚目の原稿の存在が確認されるので、管理テーブル２の原稿管理ビット７０５中の最終原稿判定ビット７０５ｅには最終の原稿ではないとして「０」がセットされ、新たに管理テーブル３として管理テーブルマーク部７０１には「１」、原稿管理部７０３の原稿ＩＤ７０３ａには「００３」、原稿サイズ７０３ｂには「Ａ４」、露光原稿面７０３ｃには「表」を表す情報などがそれぞれセットされる。
【０１５７】
なお、本実施例で例示しているＡＤＦ３６（２０３）は、原稿がセットされる原稿トレイから原稿が露光される原稿載置台３５までの搬送路中において、露光中の原稿と予備給紙中の原稿、さらに原稿トレイ上の原稿というように３枚の原稿停止位置が存在するので、３つ先の画像の管理テーブルを作成しながら原稿の搬送、読み取りを行うこととなる。
【０１５８】
この、ＡＤＦ３６（２０３）により、原稿搬送路中に停止している原稿の枚数は変わるので、この作成される管理テーブルの数も変わってくる。
【０１５９】
そして、３枚目の原稿が予備給紙され４枚目の原稿が確認されると管理テーブル４に４つ目の原稿画像に関する情報がセットされ、さらに４枚目の原稿が予備給紙されると、５枚目の原稿が原稿トレイ上で確認されないので、原稿管理ビット７０５の最終原稿判定のビット７０５ｅに「１」をセットして、この管理テーブルが最終原稿のテーブルであることを表す。
【０１６０】
次にポインター７０６の遷移について説明すると、ポインター７０６は、原稿の搬送を管理する原稿ポインター７０６ａと、スキャナユニット４０（２０４）により読み取られている原稿を管理するスキャナポインター７０６ｂと、スキャナユニット４０（２０４）による読み取りの完了を管理するリカバー用ポインター７０６ｃの３つに大きく分類され、原稿ポインター７０６ａはさらに、原稿トレイ上からの原稿の予備給紙を管理する第１のポインターと、原稿載置台３５上における原稿の排出開始を管理する第２のポインターと、ＡＤＦ３６（２０３）からの原稿排出完了を管理する第３のポインターから構成される。
【０１６１】
なお、ポインター７０６の数は制御方法により増減可能であることは勿論である。
【０１６２】
最初各ポインターは、管理テーブル１に対応する位置にあって、ＡＤＦ３６（２０３）による原稿の搬送およびスキャナユニット４０（２０４）による原稿画像の読み取りに応じて変位するものである。
【０１６３】
まず原稿の搬送を管理する原稿ポインター７０６ａの第１のポインターは、原稿の１枚目が原稿トレイ上から分離供給された段階で管理テーブル２の位置に変位する。
【０１６４】
さらに、１枚目の原稿が予備給紙位置を経て原稿載置台３５上に達するよう順次搬送するまでには、２枚目の原稿が予備給紙位置にあって、３枚目以降の原稿がＡＤＦ３６（２０３）の原稿トレイ上に置かれている状態となる。
【０１６５】
従って、原稿ポインター７０６ａの第１のポインターは、次に予備給紙する原稿であることを表すために管理テーブル３の原稿画像を指し示している。
【０１６６】
次いで、１枚目の原稿画像が原稿載置台３５上においてスキャナユニット４０（２０４）により読み取られると、１枚目の原稿をＡＤＦ３６（２０３）により原稿載置台３５上から排出するよう搬送して、引き続いて２枚目の原稿が原稿載置台３５上に、また３枚目の原稿が予備給紙位置へとそれぞれ導かれることとなる。
【０１６７】
このＡＤＦ３６（２０３）による原稿の搬送に基づいて、原稿ポインター７０６ａの第１のポインターは管理データ４に、第２のポインターは１枚目の原稿の排出開始と同時に管理テーブル２へ、さらに第３のポインターは１枚目の原稿がＡＤＦ３６（２０３）から排出されたことが確認された段階で管理テーブル２へそれぞれ変位する。
【０１６８】
また、スキャナポインター７０６ｂもスキャナユニット４０（２０４）のホームポジションへのリターンが確認された段階で管理テーブル２へ、また、リカバー用ポインター７０６ｃも読み取られた原稿画像が画像処理部８０１で１つの原稿画像情報として確定された段階で管理テーブル２へと遷移する。
【０１６９】
そして、仮にＡＤＦ３６（２０３）において原稿の搬送異常が確認された場合には、原稿ポインター７０６ａの位置とリカバー用ポインター７０６ｃの位置により、原稿を再度ＡＤＦ３６（２０３）にセットし直すのに必要な原稿の枚数が把握できる。
【０１７０】
また、原稿管理ビット７０５における原稿位置情報７０５ｄなどのデータからＡＤＦ３６（２０３）内における原稿の停止位置が確認できるので、原稿の戻し枚数、原稿の停止位置などが操作パネル１０３の液晶表示部６から表示することができる。
【０１７１】
（２枚の両面原稿を読み取る場合）
図８は、２枚の両面原稿（サイズＡ４）をＡＤＦ３６（２０３）により順次搬送して読み取り、読み取られた原稿画像を画像メモリに記憶させた場合の原稿管理テーブル７００を表したものである。
【０１７２】
原稿管理テーブル７００上において、原稿画像毎に作成される管理テーブルとしては、画像が原稿の両面に存在するので、結果として４つの管理テーブルが作成され各種データが管理されることとなる。
【０１７３】
まず２枚の原稿がＡＤＦ３６（２０３）の原稿トレイ上にセットされると、管理テーブル１に確認された原稿に関する情報として、管理テーブルマーク部７０１には「１」、原稿管理部７０３の原稿ＩＤ７０３ａには「００１」、原稿サイズ７０３ｂには「Ａ４」、露光原稿面７０３ｃには「裏」を表す情報などがセットされ、また管理テーブル２に確認された原稿に関する情報として、管理テーブルマーク部７０１には「１」、原稿管理部７０３の原稿ＩＤ７０３ａには「００１」、原稿サイズ７０３ｂには「Ａ４」、露光原稿面７０３ｃには「表」を表す情報などがセットされる。
【０１７４】
そして、この１枚目の原稿の裏側に位置する画像が先に読み取られるように、ＡＤＦ３６（２０３）の表裏反転部を経由して原稿トレイから原稿載置台上３５に向かって供給すると、原稿トレイ上においてさらなる原稿の存在が確認されるので、管理テーブル１と管理テーブル２の原稿管理ビット７０５中の最終原稿判定ビット７０５ｅにはそれぞれ最終の原稿ではないとして「０」がセットされ、新たに管理テーブル３として管理テーブルマーク部７０１には「１」、原稿管理部７０３の原稿ＩＤ７０３ａには「００２」、原稿サイズ７０３ｂには「Ａ４」、露光原稿面７０３ｃには「裏」を表す情報がそれぞれセットされ、また管理テーブル４として管理テーブルマーク部７０１には「１」、原稿管理部７０３の原稿ＩＤ７０３ａには「００２」、原稿サイズ７０３ｂには「Ａ４」、露光原稿面７０３ｃには「表」などがセットされる。
【０１７５】
この１枚目の原稿の裏側に位置する画像の読み取りが完了すると、原稿載置台３５上に位置するこの１枚目の原稿を表裏反転部により表裏を反転させ再度原稿載置台３５上にセットして、この原稿の表側に位置する原稿画像の読み取りが完了すれば、ＡＤＦ３６（２０３）の外に向かって排出する。
【０１７６】
そして、２枚目の原稿が同じように裏側に位置する画像、次いで表側に位置する画像という順番で読み取られるよう搬送供給される。
【０１７７】
さらに２枚の原稿が原稿載置台３５に向かって予備給紙されると、これ以上の原稿が原稿トレイ上において確認されないので、管理テーブル３と４における原稿管理ビット７０５の最終原稿判定のビット７０５ｅにそれぞれ「１」をセットして、この管理テーブルが最終原稿の表と裏の画像のテーブルであることを表す。
【０１７８】
次にポインターの遷移について説明する。
【０１７９】
最初各ポインターは、それぞれ黒矢印の位置にセットされており、ＡＤＦ３６（２０３）による原稿の搬送およびスキャナユニット４０（２０４）による原稿画像の読み取りに応じて変位するものである。
【０１８０】
まず原稿の搬送を管理する原稿ポインター７０６ａの第１のポインターは、原稿の１枚目が原稿トレイ上から分離供給された段階で管理テーブル４の位置に変位する。
【０１８１】
さらに、１枚目の原稿が予備給紙位置を経て、表裏反転部により原稿の裏側が先に原稿載置台３５上に達するよう搬送される一方で、２枚目の原稿が予備給紙位置に送り込まれる。
【０１８２】
そして、１枚目の原稿の裏側の原稿画像が原稿載置台３５上においてスキャナユニット４０（２０４）により読み取られると、次に２枚目の原稿は予備給紙位置に待機した状態で、１枚目の原稿が再び表裏反転部により判定され１枚目の原稿の表側が原稿載置台３５上にセットされる。
【０１８３】
このようにして１枚目の原稿の表裏画像がそれぞれ読み取られると、１枚目の原稿をＡＤＦ３６（２０３）により原稿載置台３５上から排出するよう搬送して、引き続いて２枚目の原稿が原稿載置台３５上に向かって１枚目の原稿と同じように導かれることとなる。
【０１８４】
このＡＤＦ３６（２０３）による原稿の搬送に基づいて、原稿ポインターの第２のポインターは１枚目の原稿の表裏画像がそれぞれ読み取られて排出開始と同時に管理テーブル２、３、４へ、さらに第３のポインターは１枚目の原稿が表裏共に読み取りが完了してＡＤＦ３６（２０３）から排出されたことが確認された段階で管理テーブル３へそれぞれ変位する。
【０１８５】
また、スキャナポインター７０６ｂもスキャナユニット４０（２０４）のホームポジションへのリターンが確認された段階で管理テーブル２へ、また、リカバー用ポインター７０６ｃも読み取られた原稿画像が画像処理部８０１で１つの原稿画像情報として確定された段階で管理テーブル２へと遷移する。
【０１８６】
そして、仮にＡＤＦ３６（２０３）における原稿の搬送異常が確認された場合には、原稿ポインター７０６ａの位置とリカバー用ポインター７０６ｃの位置により、原稿を再度ＡＤＦ３６（２０３）にセットし直すのに必要な原稿の枚数が把握できる。
【０１８７】
また、原稿管理ビット７０５における原稿位置情報７０５ｄなどのデータからＡＤＦ３６（２０３）内における原稿の停止位置が確認できるので、原稿の戻し枚数、原稿の停止位置などが操作パネル１０３の表示部６から表示することができる。
【０１８９】
【発明の効果】
請求項１に記載されている発明によれば、原稿をセットした段階で原稿毎の情報を管理する情報管理テーブルを作成して、以降原稿画像としての読み取りが完了するまでに変化する原稿情報や原稿処理情報を更新管理するので、管理情報が正確なものに置き換えられて管理されることとなり、以降の原稿読み取り制御および管理が確実に行えるようになる。
【０１９０】
請求項２に記載されている発明によれば、原稿をセットした段階で得られた原稿サイズ情報を管理しておき、実際に原稿を処理してみて得られた原稿サイズ情報に変更して管理するので、原稿トレイ上にセットされた状態により確認されたサイズ情報が間違っていたとしても、正確なサイズ情報として確認できた場合には、そのサイズ情報に自動的に変更され、また正確な原稿サイズ情報に応じた走査範囲などの読み取りに必要な情報も自動的に変更されるので、以降の制御管理が確実に行えるようになる。
【図面の簡単な説明】
【図１】本発明の入力装置を備えたデジタル複写機の全体の構造を示す断面図である。
【図２】デジタル複写機の画像処理部における回路構成、および全体の制御部構成を示すブロック構成図である。
【図３】デジタル複写機における操作パネル部分の一例を示す平面図である。
【図４】原稿管理テーブルの一例を示す図である。
【図５】原稿管理テーブルを準備する工程を表す図である。
【図６】原稿管理テーブルに管理される情報に基づいて原稿画像入力部が動作している状態を表す図である。
【図７】４枚の片面原稿を読み取る場合の管理テーブル、およびポインターの遷移状態を表す図である。
【図８】２枚の両面原稿を読み取る場合の管理テーブル、およびポインターの遷移状態を表す図である。
【符号の説明】
７００  原稿管理テーブル
７０１  管理テーブルマーク部
７０２  スキャナ管理部
７０３  原稿管理部
７０４  スキャナ管理ビット
７０５  原稿管理ビット
７０６  ポインタ
【図１】
0003973275.tif 000002
【図２】
0003973275.tif 000003
【図３】
0003973275.tif 000004
【図４】
0003973275.tif 000005
【図５】
0003973275.tif 000006
【図６】
0003973275.tif 000007
【図７】
0003973275.tif 000008
【図８】
0003973275.tif 000009